(57)【要約】【課題】ロックおよびロック解除を容易に行うことができる座席付き育児器具および連結具を提供すること。【解決手段】連結具（５）は、拘束ベルトに連結された一対の係合部材（５１，６１，７１，８１）と、股ベルトに連結された被係合部材（９０）とを含む。係合部材（５１，６１，７１，８１）は、係合爪部を有する挿入部（５５，６５，７５，８５）を含み、被係合部材（９０）は、固定部（９１）と、固定部（９１）に対して第１位置と第２位置との間を変位可能なガイド部（１２０）と、ガイド部（１２０）を第１位置と第２位置との間で変位させる操作部（１０１）とを含む。ガイド部（１２０）は、第１位置にある場合に係合爪部と係合する被係合爪部と、第２位置にある場合に係合爪部と係合しない平坦部とを有する。【選択図】図３
2020175881.tif 000002
【特許請求の範囲】
【請求項１】
乳幼児を受け入れるための受入空間を形成する座席部と、
前記座席部に着座した乳幼児の両太腿の間を延びる股ベルトと、
乳幼児の上半身を拘束する拘束ベルトと、
前記股ベルトと前記拘束ベルトとを連結する連結具とを備え、
前記連結具は、前記拘束ベルトに連結された一対の係合部材と、前記股ベルトに連
結された被係合部材とを含み、
前記係合部材は、係合爪部を有する挿入部を含み、
前記被係合部材は、前記挿入部を受け入れる開口部を有する固定部と、前記挿入部の前記開口部内への挿入をガイドし、前記固定部に対して第１位置と第２位置との間を変位可能なガイド部と、前記ガイド部を前記第１位置と前記第２位置との間で変位させる操作部とを含み、
前記ガイド部は、前記第１位置にある場合に前記係合爪部と係合する被係合爪部と、前記第２位置にある場合に前記係合爪部と係合しない平坦部とを有する、座席付き育児器具。
【請求項２】
前記係合部材の挿入部は、厚み方向の外方に向かって突出する一対の係合凸部を含み、
前記被係合部材の固定部は、挿入方向から見て出口側に位置し、前記被係合部材と前記係合部材との係合状態において、前記挿入部に向かって突出する一対の被係合凸部とを含み、
前記一対の係合凸部の厚み方向の寸法は、前記一対の被係合凸部の厚み方向の寸法と略同一である、請求項１に記載の座席付き育児器具。
【請求項３】
前記開口部は、挿入方向に延びており、
前記開口部の挿入方向に延びる中央軸線は、前記固定部の幅方向中央部において交差する、請求項１または２に記載の座席付き育児器具。
【請求項４】
前記係合部材の挿入部は、第１磁石を有し、
前記被係合部材のガイド部は、前記第１位置に対面し、前記第１磁石に対して磁気的に吸引する第２磁石と、前記第２位置に対面し、前記第２磁石とは逆の極性を有する第３磁石とを有する、請求項１〜３のいずれかに記載の座席付き育児器具。
【請求項５】
一方のベルトに連結された係合部材と、他方のベルトに連結された被係合部材とを備え、
前記係合部材は、係合爪部を有する挿入部を含み、
前記被係合部材は、前記挿入部を受け入れる開口部を有する固定部と、前記開口部内に挿入される前記挿入部の挿入をガイドし、前記固定部に対して第１位置と第２位置との間を変位可能なガイド部と、前記ガイド部を前記第１位置と前記第２位置との間で変位させる操作部とを含み、
前記ガイド部は、前記第１位置にある場合に前記係合爪部と係合する被係合爪部と、前記第２位置にある場合に前記係合爪部と係合しない平坦部とを有する、連結具。
【発明の詳細な説明】
【技術分野】
【０００１】
この発明は、座席付き育児器具および連結具に関する。
【背景技術】
【０００２】
従来から、たとえば乳母車、チャイルドシート、育児椅子などの座席付き育児器具には、乳幼児を座席上に乗せた場合に、乳幼児の身体を拘束する身体拘束ベルトが設けられている。
【０００３】
このような乳母車に設けられる身体拘束ベルトとして、たとえば特開２００５−１３８７４２号公報（特許文献１）が知られている。特許文献１には、おむつ交換作業をスムーズに行うために、肩ベルトおよび腰ベルトを連結具に連結した状態で、股ベルトだけを分離することが可能な股ベルトが開示されている。
【先行技術文献】
【特許文献】
【０００４】
【特許文献１】特開２００５−１３８７４２号公報
【発明の概要】
【発明が解決しようとする課題】
【０００５】
特許文献１に開示された身体拘束ベルトでは、股ベルトだけを分離可能なだけで、ロックおよびロック解除を容易に行うことはできなかった。
【０００６】
本発明は、上記のような課題を解決するためになされたものであって、その目的は、ロックおよびロック解除を容易に行うことができる座席付き育児器具および連結具を提供することを目的とする。
【課題を解決するための手段】
【０００７】
この目的のため、本発明の一態様に係る座席付き育児器具は、乳幼児を受け入れるための受入空間を形成する座席部と、座席部に着座した乳幼児の両太腿の間を延びる股ベルトと、乳幼児の上半身を拘束する拘束ベルトと、股ベルトと拘束ベルトとを連結する連結具とを備え、連結具は、拘束ベルトに連結された一対の係合部材と、股ベルトに連結された被係合部材とを含み、係合部材は、係合爪部を有する挿入部を含み、被係合部材は、挿入部を受け入れる開口部を有する固定部と、挿入部の開口部内への挿入をガイドし、固定部に対して第１位置と第２位置との間を変位可能なガイド部と、ガイド部を第１位置と第２位置との間で変位させる操作部とを含み、ガイド部は、第１位置にある場合に係合爪部と係合する被係合爪部と、第２位置にある場合に係合爪部と係合しない平坦部とを有する。
【０００８】
好ましくは、係合部材の挿入部は、厚み方向の外方に向かって突出する一対の係合凸部を含み、被係合部材の固定部は、挿入方向から見て出口側に位置し、被係合部材と係合部材との係合状態において、挿入部に向かって突出する一対の被係合凸部とを含み、一対の係合凸部の厚み方向の寸法は、一対の被係合凸部の厚み方向の寸法と略同一である。
【０００９】
好ましくは、開口部は、挿入方向に延びており、開口部の挿入方向に延びる中央軸線は、固定部の幅方向中央部において交差する。
【００１０】
好ましくは、係合部材の挿入部は、第１磁石を有し、被係合部材のガイド部は、第１位置に対面し、第１磁石に対して磁気的に吸引する第２磁石と、第２位置に対面し、第２磁石とは逆の極性を有する第３磁石とを有する。
【００１１】
好ましくは、本発明の他の一態様に係る連結具は、一方のベルトに連結された係合部材と、他方のベルトに連結された被係合部材とを備え、係合部材は、係合爪部を有する挿入部を含み、被係合部材は、挿入部を受け入れる開口部を有する固定部と、開口部内に挿入される挿入部の挿入をガイドし、固定部に対して第１位置と第２位置との間を変位可能なガイド部と、ガイド部を第１位置と第２位置との間で変位させる操作部とを含み、ガイド部は、第１位置にある場合に係合爪部と係合する被係合爪部と、第２位置にある場合に係合爪部と係合しない平坦部とを有する。
【発明の効果】
【００１２】
本発明によれば、ロックおよびロック解除を容易に行うことができる座席付き育児器具および連結具を提供することができる。
【図面の簡単な説明】
【００１３】
【図１】本実施の形態に係る座席付き育児器具の一例を示す斜視図である。
【図２】本実施の形態における連結具を示す図であり、（ａ）は正面図であり、（ｂ）は側面図であり、（ｃ）は正面側から見た斜視図であり、（ｄ）は背面側から見た斜視図である。
【図３】本実施の形態における連結具の分解斜視図である。
【図４】連結具のガイド部の斜視図である。
【図５】第１，２係合部材と被係合部材のロックを解除した状態を示す図であり、（ａ）は正面側から見た斜視図であり、（ｂ）は背面側から見た斜視図である。
【図６】第１，２係合部材と被係合部材とのロックおよびロック解除状態を示す模式平面図である。
【図７】第１，２係合部材と被係合部材とのロックを解除した状態示す模式図であり、（ａ）は操作部を操作していない状態であり、（ｂ）は操作部を操作した状態である。
【図８】第１，２係合部材と被係合部材とをロックした状態示す模式図であり、（ａ）は操作部を操作していない状態であり、（ｂ）は操作部を操作した状態である。
【図９】（ａ）は、図８（ａ）の線ＩＸ−ＩＸに沿って見た断面斜視図であり、（ｂ）は、開口部の中央軸線を取り出して示す図であり、（ｃ）は、図９（ａ）の一部分を拡大して示す図である。
【図１０】（ａ）は、図８（ａ）の線Ｘ−Ｘに沿って見た模式断面図であり、（ｂ）は、図１０（ａ）の一部分を拡大して示す図である。
【図１１】図８（ａ）の線ＩＸ−ＩＸに沿って見た模式断面図である。
【図１２】（ａ）は、図８（ａ）の線Ｘ−Ｘに沿って見た模式断面図であり、（ｂ）は（ａ）の状態から第１係合部材を取り外した状態を示す図である。
【発明を実施するための形態】
【００１４】
本発明の実施の形態について図面を参照しながら詳細に説明する。なお、図中同一または相当部分には同一符号を付してその説明は繰り返さない。
【００１５】
（乳母車の概要）
図１を参照して、本実施の形態に係る座席付き育児器具としての乳母車１の概要について説明する。乳母車１の説明において、前後方向は、乳母車の前後方向に対応し、左右方向は、乳母車の前方から見た左右方向に対応している。
【００１６】
乳母車１の基本構造としては、一般的な乳母車の構造と同様であってよく、乳母車１は、本体２と、本体２を下方から支持する脚部３と、前ガード１１と、押し棒１３とを備える。脚部３は、前輪３１を有する一対の前脚３３と、後輪３２を有する一対の後脚３４とを有する。本体２は、乳幼児を受け入れるための受入空間を形成する座席部２０を有している。座席部２０は、たとえば、座部２１と、背もたれ部２２と、背もたれ部２２の両端縁から立ち上がる一対の立ち上がり部２３とを有している。前ガード１１は、座席部２０の前方位置において左右方向に延び、座席部２０の左右両側に配置される一対の手摺部１２に連結されている。
【００１７】
ここで、乳母車１の座席部２０は、乳幼児の身体を拘束する複数のベルトが設けられている。複数のベルトは、座席部２０に着座した乳幼児の両太腿の間を延びる股ベルト４１と、乳幼児の腰を拘束する腰ベルト４２，４３と、乳幼児の肩を拘束する肩ベルト４４，４５と、これらのベルト４１，４２，４３，４４，４５とを連結する連結具５とを備える。腰ベルト４２，４３および肩ベルト４４，４５は、乳幼児の上半身を拘束するものである。そのため、腰ベルト４２，４３および肩ベルト４４，４５を、拘束ベルトとともいう。
【００１８】
（連結具について）
以下に、乳母車１に用いられる連結具５について、詳細に説明する。
【００１９】
図２〜図１２をさらに参照して、連結具５の構成例について詳細に説明する。なお、以下の説明において、左右方向および上下方向は、それぞれ、図２（ａ），図５（ａ），図６〜図８の紙面上の左右方向および上下方向を基準とする。また、左右方向は、横方向ともいう。また、図２（ｃ）および図５（ａ）は連結具５の表面であり、図２（ｄ）および図５（ｂ）は連結具５の裏面である。図９〜図１２の紙面上の上下方向は、連結具の厚み方向といい、紙面上の上方を表側、紙面上の下方を裏側という。理解容易の為、図１１，図１２において、固定部９１を横方向に真っ直ぐに延ばしているが、実際は、図９，図１０に示すように、固定部９１の略中央部分において表側に湾曲した形状である。
【００２０】
特に図２を参照して、本実施の形態における連結具５は、５点ベルトの連結具であり、肩ベルト４４，４５に連結された一対の第１係合部材５１，６１と、腰ベルト４２，４３に連結された一対の第２係合部材７１，８１と、股ベルト４１に連結された被係合部材９０とを含む。被係合部材９０と、一対の第１係合部材５１，６１および一対の第２係合部材７１，８１とは、着脱可能に連結することができる。つまり、一対の第１係合部材５１，６１および一対の第２係合部材７１，８１は、被係合部材９０に対してロックまたはロック解除可能である。以下、それぞれの部材について詳細に説明する。
【００２１】
（第１係合部材について）
図３，図５，図６，図９（ｃ），図１１を参照して、一対の第１係合部材５１，６１について説明する。上述のように、第１係合部材５１は、左側の肩ベルト４４と連結し、第１係合部材６１は、右側の肩ベルト４５と連結する。第１係合部材５１は、被係合部材９０の左側に取り付けられ、第１係合部材６１は、被係合部材９０の右側に取り付けられる。
【００２２】
第１係合部材５１は、本体部５２と、本体部５２から突出して設けられる挿入部５５とを含む。
【００２３】
本体部５２は、被係合部材９０の角部に沿うような形状であり、たとえば平面視略Ｌ字形状である。本体部５２の上方には、肩ベルト４４が貫通する取付孔５３が設けられる。取付孔５３は、横方向に細長い貫通穴である。
【００２４】
図５（ｂ）に示すように、挿入部５５は、後述する被係合部材９０の開口部９５ａに挿入可能である。図９（ｃ），図１１に示すように、挿入部５５は、棒状であり、挿入方向先端部（奥側）から順に、表裏一対の係合爪部５６、表裏一対の係合凸部５７が連なっている。これらは、平坦な棒状部材の表面および裏面に凹凸を付けることで形成される。
【００２５】
具体的には、一対の係合爪部５６は、挿入部５５の先端に位置し、厚み方向の同一位置に設けられる。一対の係合爪部５６は、厚み方向外方に向かって突出する。一対の係合凸部５７は、厚み方向の同一位置に設けられる。一対の係合凸部５７は、厚み方向外方に向かって突出する。係合爪部５６と係合凸部５７の突出寸法は、略同一である。一対の係合爪部５６と一対の係合凸部５７との境界部分は、傾斜している。さらに、挿入部５５の裏側には、係合凸部５７に連なって凹部５８が設けられる。凹部５８は、表側には設けられない。これにより、凹部５８が設けられる側が裏面であることの目印となる。なお、挿入部５５の先端は、角部にＲが付いている。
【００２６】
図６に示すように、挿入部５５の先端には、第１磁石５９が設けられる。第１磁石５９は、挿入部５５から露出していてもよいし、挿入部５５内に埋め込まれていてもよい。第１磁石５９は、挿入部５５の挿入方向に着磁されている。たとえば、挿入部５５の先端側がＮ極であり、その反対側がＳ極である。なお、図６〜１２の第１磁石５９において、塗り潰していない部分をＮ極、塗り潰して示す部分をＳ極とし、後述する第１磁石６９，７９，８９、第２磁石１３０，１３２および第３磁石１３１，１３３も同様とする。
【００２７】
図３，図５を参照して、挿入部５５の上方には、本体部５２に取り付けられ、挿入部５５と同方向に延びる支持部５４が設けられていてもよい。支持部５４は、挿入部５５と同様に、後述する被係合部材９０の小開口部９７ａに挿入可能である。支持部５４は、挿入部５５よりも細くて短い。支持部５４が設けられることで、第１係合部材５１を被係合部材９０に係合した状態での上下方向へのガタツキを防止することができる。
【００２８】
第１係合部材６１は、第１係合部材５１と略同様の構成であり、第１係合部材５１と対称に設けられる。具体的には、第１係合部材６１は、取付孔６３が設けられる本体部６２と、本体部６２から突出して設けられる挿入部６５と、挿入部６５と平行して延びる支持部６４とを含む。図９（ａ），図１１に示すように、本体部６２の挿入部６５は、棒状であり、挿入方向先端部（奥側）から順に、表裏一対の係合爪部６６、表裏一対の係合凸部６７が連なっている。挿入部６５の裏面には、係合凸部６７に連なって凹部６８が設けられる。
【００２９】
右側に設けられる第１係合部材６１と左側に設けられる第１係合部材５１とは、第１磁石６９の配置において異なる。具体的には、右側の第１磁石６９は、左側の第１磁石５９の着磁方向とは逆に着磁されており、たとえば、挿入部６５の先端側がＳ極であり、その反対側がＮ極である。第１磁石５９，６９をこのように配置することで、図８（ａ）に示すロック（係合）状態では、第１磁石５９，６９は、後述する被係合部材９０の第２磁石１３０と吸引し、図８（ｂ）に示すロック解除（被係合）状態では、第１磁石５９，６９は、後述する被係合部材９０の第３磁石１３１と反発する。
【００３０】
（第２係合部材について）
図３，図５，図６，図９（ｃ），図１１を参照して、一対の第２係合部材７１，８１について説明する。上述のように、第２係合部材７１は、腰ベルト４２と連結し、第２係合部材８１は、腰ベルト４３と連結する。第２係合部材７１は、被係合部材９０の左側であり、第１係合部材５１の下側に取り付けられ、第２係合部材８１は、被係合部材９０の右側であり、第１係合部材６１の下側に取り付けられる。
【００３１】
第２係合部材７１は、本体部７２と、本体部７２から突出して設けられる挿入部７５とを含む。
【００３２】
本体部７２は、被係合部材９０の側部に沿うような形状であり、たとえば平面視矩形形状である。本体部７２の略中央部には、腰ベルト４２が貫通する取付孔７３が設けられる。取付孔７３は、上下方向に細長い貫通穴である。
【００３３】
図５（ｂ）に示すように、挿入部７５は、後述する被係合部材９０の開口部９６ａに挿入可能である。挿入部７５は、第１係合部材５１の挿入部５５と略同様の構成である。挿入部７５の下方には、本体部７２に取り付けられ、挿入部７５と同方向に延びる支持部７４が設けられていてもよい。支持部７４は、挿入部７５と同様に、後述する被係合部材９０の小さい小開口部９８ａに挿入可能である。支持部７４は、挿入部７５よりも細くて短い。支持部７４が設けられることで、第２係合部材７１を被係合部材９０に装着した状態でのガタツキを防止することができる。
【００３４】
図６に示すように、挿入部７５の先端には、第１磁石７９が設けられる。第１磁石７９は、挿入部７５から露出していてもよいし、挿入部７５内に埋め込まれていてもよい。第１磁石７９は、挿入部７５の挿入方向に着磁されている。たとえば、挿入部７５の先端側がＮ極であり、その反対側がＳ極である。第１磁石７９の配置は、第１係合部材５１の第１磁石５９の配置と同様である。
【００３５】
第２係合部材８１は、左側に設けられる第２係合部材７１と略同様の構成であり、第２係合部材８１と対称に設けられる。具体的には、第２係合部材８１は、取付孔８３が設けられる本体部８２と、本体部８２から突出して設けられる挿入部８５と、挿入部８５と平行して延びる支持部８４とを含む。
【００３６】
右側に設けられる第２係合部材８１と左側に設けられる第２係合部材７１とは、第１磁石８９の配置において異なる。具体的には、右側の第１磁石８９は、左側の第１磁石７９の着磁方向とは逆に着磁されており、たとえば、挿入部８５の先端側がＳ極であり、その反対側がＮ極である。第１磁石７９，８９をこのように配置することで、図８（ａ）に示す係合状態では、第１磁石５９，６９は、後述する被係合部材９０の第２磁石１３２と吸引し、図８（ｂ）に示す被係合状態では、第１磁石５９，６９は、後述する被係合部材９０の第３磁石１３３と反発する。
【００３７】
（被係合部材について）
図２〜図６を参照して、被係合部材９０について説明する。図３に示すように、被係合部材９０は、固定部９１と、固定部９１に対して第１位置と第２位置との間を変位可能なガイド部１２０と、ガイド部１２０を第１位置と第２位置との間で変位させる一対の操作部１０１とを含む。第１位置は、操作部を操作していない状態（図７（ａ），図８（ａ））であり、第２位置は、操作部を操作した状態（図７（ａ），図８（ａ））である。それぞれの構成について、詳細に説明する。
【００３８】
特に図３に示すように、固定部９１は、ガイド部１２０および一対の操作部１０１を内部に収納するケースの役割を果たす。固定部９１は、表ケース９２と裏ケース９４とから形成される。表ケース９２の下方には、股ベルト４１が貫通する貫通穴９３が設けられる。表ケース９２の上下方向の長さは、裏ケース９４の上下方向の長さよりも貫通穴９３が設けられている分だけ長い。裏ケース９４の内方側中央部には、上下方向に延び、表ケース９２側に突出する縦部９４ａが設けられる。また、同様に、表ケース９２の内方側中央部にも、裏ケース９４と同様の形状で上下方向に延び、表ケース９２側に突出する縦部９２ａ（図９）が設けられる。表ケース９２の縦部９２ａと裏ケース９４の縦部９４ａは、上下に対向する位置に設けられる。縦部９２ａ，９４ａは、ガイド部１２０の上下の移動を案内するものである。
【００３９】
図５（ａ），図５（ｂ）に示すように、表ケース９２と裏ケース９４を組み立てると、固定部９１の側面には、開口部９５ａ，９６ａが設けられる。第１，２開口部９５ａ，９６ａは、それぞれ横方向に対向して設けられる。一対の開口部９５ａには、第１係合部材５１，６１の挿入部５５，６５がそれぞれ差し込まれ、一対の開口部９５ａには、第２係合部材７１，８１の挿入部７５，８５がそれぞれ差し込まれる。図９，１０に示すように、開口部９５ａは、一方が開放した形状であり、挿入方向（横方向）に延びている。開口部９５ａは、一対の帯状部１２５または帯状部１２６の内面および固定部９１の被係合凸部９２ｂ，９４ｂから形成される側壁と、中央ガイド部１２３の底壁とから形成される。同様に、開口部９６ａは、一対の帯状部１２５または帯状部１２６の内面および固定部９１の被係合凸部９２ｂ，９４ｂから形成される側壁と、中央ガイド部１２３の底壁とから形成される。
【００４０】
図５（ａ），図５（ｂ）に示すように、開口部９５ａの上方には、小開口部９７ａが設けられ、開口部９６ａの下方には、小開口部９８ａがそれぞれ設けられる。小開口部９７ａ，９８ａの大きさは、開口部９５ａ，９６ａの大きさよりも小さい。一対の小開口部９７ａには、第１係合部材５１，６１の支持部５４，６４がそれぞれ差し込まれ、小開口部９８ａには、第２係合部材７１，８１の支持部７４，８４がそれぞれ差し込まれる。
【００４１】
図９（ａ）に示すように、固定部９１は、左右方向に延びて表側にやや湾曲する形状である。言い換えると、対向する一対の開口部９５ａの挿入方向に延びる中央軸線Ａ，Ｂは、固定部９１の幅方向中央部において交差する。つまり、図９（ｂ）に示すように、一対の開口部９５ａの挿入方向に延びる中央軸線Ａ，Ｂの角度は、鈍角であり、具体的には１７０度以上１８０度未満である。このような形状とすることにより、係合部材５１，６１，７１，８１を被係合部材９０から外す際に、開口部９５ａ，９６ａに対して水平に引き抜くのではなく、ある程度角度を付けた状態で引き抜かなければならない。これにより、係合部材５１，６１，７１，８１が乳幼児によって誤って被係合部材９０から引き抜かれることを防止することができる。
【００４２】
図３，図９に示すように、表ケース９２には、開口部９５ａ，９６ａの位置に上下に延びる被係合凸部９２ｂが形成され、図９に示すように、裏ケース９４には、開口部９５ａ，９６ａの位置に上下に延びる被係合凸部９４ｂが形成される。これにより、被係合凸部９２ｂ，９４ｂは、表裏で向かい合う形状となる。一対の被係合凸部９２ｂ，９４ｂは、挿入方向から見て出口側に位置する。さらに、一対の被係合凸部９２ｂ，９４ｂは、被係合部材９０と係合部材５１，６１，７１，８１の係合状態において、挿入部５５，６５，７５，８５に向かって突出する。言い換えると、一対の被係合凸部９２ｂ，９４ｂは、厚み方向内側に向かって突出する。
【００４３】
図９（ｃ）に示すように、表側の被係合凸部９２ｂと裏側の被係合凸部９４ｂの厚み方向の寸法Ｌ２は、表側の係合凸部５７と裏側の係合凸部５７の厚み方向の寸法Ｌ１と略同一である。略同一とは、完全に同一であることだけではなく、寸法Ｌ１が寸法Ｌ２よりも多少小さいことも含む。具体的には、寸法Ｌ１と寸法Ｌ２との差が、係合凸部５７の厚み方向の突出寸法の半分以下である場合も、略同一であるとする。このような形状により、乳幼児が第１係合部材５１を掴んで引き抜こうとしても、係合部材５１，６１，７１，８１を被係合部材９０に対して真っ直ぐ引き抜かない限り、係合凸部５７が被係合凸部９２ｂのいずれかに引っかかる。そのため、乳幼児の動作により第１係合部材５１が被係合部材９０から外れることを防止することができる。
【００４４】
固定部９１内には、固定部９１に対して上下方向に変位可能なガイド部１２０が設けられる。ガイド部１２０は、挿入部５５，６５，７５，８５の開口部９５ａ，９６ａ内への挿入をガイドするものである。図４を参照して、ガイド部１２０は、表ガイド部１２１と、裏ガイド部１２２と、表ガイド部１２１と裏ガイド部１２２とを連結する中央ガイド部１２３とを含む。表ガイド部１２１は、固定部９１の表ケース９２側に位置し、裏ガイド部１２２は、固定部９１の裏ケース９４側に位置する。表ガイド部１２１と裏ガイド部１２２とは、中央ガイド部１２３の寸法分だけ離れている。これにより、表ガイド部１２１と裏ガイド部１２２との間には、上述した係合部材５１，６１，７１，８１の挿入部５５，６５，７５，８５が挿入される。これにより、ガイド部１２０は、その挿入部５５，６５，７５，８５が挿入された状態で、上下方向に変位可能である。
【００４５】
表ガイド部１２１および裏ガイド部１２２は、中央ガイド部１２３から左右方向に向かって突出する４つの帯状部１２５〜１２８を含む。帯状部１２５〜１２８は、上下に整列しており、それぞれ平行に設けられる。上方から１段目および３段目の帯状部１２５，１２７には、表ガイド部１２１または裏ガイド部１２２に向かって突出する被係合爪部１２５ａ，１２７ａが設けられる。上方から２段目および４段目の帯状部１２６，１２８には、爪部のような形状は設けられておらず、平な平坦部１２６ａ，１２８ａが設けられる。これにより、被係合爪部１２５ａ，１２７ａと平坦部１２６ａ，１２８ａは交互に設けられる。被係合爪部１２５ａ，１２７ａが設けられている帯状部１２５，１２７の横寸法は、平坦部１２６ａ，１２８ａが設けられている帯状部１２６，１２８の横寸法よりも短い。
【００４６】
図９に示すように、ガイド部１２０の被係合爪部１２５ａは、第１係合部材５１，６１の挿入部５５，６５の係合爪部５６，６６と係合する。また、操作部１０１を操作すると、ガイド部１２０は上方に変位し、図１０に示すように、ガイド部１２０の平坦部１２６ａは、第１係合部材５１，６１の挿入部５５，６５の係合爪部５６，６６と係合しない。図示はしないが、ガイド部１２０の被係合爪部１２７ａは、第２係合部材７１，８１の挿入部７５，８５の係合爪部と係合する。また、操作部１０１を操作すると、ガイド部１２０は上方に変位し、ガイド部１２０の平坦部１２８ａは、第２係合部材７１，８１の挿入部７５，８５の係合爪部と係合しない。係合爪部と被係合爪部との係合状態については、後述する。
【００４７】
図７（ａ）に示すように、操作部１０１を操作していない状態では、上方から１段目の帯状部１２５と開口部９５ａの位置は、上方から３段目の帯状部１２７と開口部９６ａの位置は左右方向において一致する。図７（ｂ）に示すように、操作部１０１を操作した状態では、上方から２段目の帯状部１２６と開口部９５ａの位置は、上方から４段目の帯状部１２８と開口部９６ａの位置は左右方向において一致する。これにより、操作部１０１を操作していない状態では、挿入部５５の係合爪部５６とガイド部１２０の被係合爪部１２５ａとが係合し、操作部１０１を操作すると、その係合が解除される。
【００４８】
中央ガイド部１２３は、その中央において、上下方向に延びるレール１２３ａが設けられる。レール１２３ａは、表ガイド部１２１側および裏ガイド部１２２側にそれぞれ形成される。図９（ａ）に示すように、このレール１２３ａは、上述した固定部９１のケース９２，９４の縦部９２ａ，９４ａと噛み合い、ガイド部１２０の固定部９１に対する上下方向のスライドをガイドする。中央ガイド部１２３の下方には、下方に突出する延出部１２４が設けられていてもよい。延出部１２４の下方には、一対の穴部１２４ａが設けられている。この穴部１２４ａには、操作部１０１と連結するためのリンク１０５が取り付けられる。
【００４９】
中央ガイド部１２３の内部には、４つの磁石が上下方向に整列している。これらの磁石は、第２磁石１３０、第３磁石１３１、第２磁石１３２、第３磁石１３３の順で整列している。第２磁石１３０，１３２は、第１磁石５９，６９，７９，８９に対して磁気的に吸引する。第３磁石１３１，１３３は、第１磁石５９，６９，７９，８９に対して磁気的に反発する。第２磁石１３０は、１段目の帯状部１２５と左右方向に並んだ位置に設けられる。第３磁石１３１は、２段目の帯状部１２６と左右方向に並んだ位置に設けられる。第２磁石１３２は、３段目の帯状部１２７と左右方向に並んだ位置に設けられる。第３磁石１３３は、４段目の１２８と左右方向に並んだ位置に設けられる。
【００５０】
操作部１０１は、ガイド部１２０を変位させるものである。具体的には、操作部１０１を押圧することで、ガイド部１２０を上方に変位可能である。図３に示すように、操作部１０１は、一対設けられる。操作部１０１は、平面視略矩形形状であり、本体部１０３と、押圧部１０２とを有する。本体部１０３には、穴部１０４が設けられる。この穴部１０４と、上述したガイド部１２０の穴部１０４にリンク１０５を貫通させることで、ガイド部１２０と操作部１０１の動きを連動させる。操作部１０１は、固定部９１の位置決め部９９ｂに移動可能に取り付けられる。具体的には、操作部１０１は、斜め方向に移動可能である。なお、本実施の形態では操作部１０１は、ガイド部１２０とは別の部材で形成されているが、操作部１０１とガイド部１２０が一体的に形成されていてもよい。また、操作部１０１が設けられる場合であっても、一対設けられていなくてもよい。
【００５１】
（連結具の使用方法について）
次に、本実施の形態の連結具５の使用方法について説明する。
【００５２】
まず、乳幼児を図１の乳母車１の座席部２０に乗せる。股ベルト４１を乳幼児の両太腿の間に通す。さらに、肩ベルト４４を乳幼児の右肩上に置くとともに、腰ベルト４２を乳幼児の右腰に置く。同様に、肩ベルト４５を乳幼児の左肩上に置くとともに、腰ベルト４３を乳幼児の左腰に置く。肩ベルト４４，４５に連結されている第１係合部材５１，６１を、股ベルト４１に連結されている被係合部材９０に連結する。同様に、腰ベルト４２，４３に連結されている第２係合部材７１，８１を、股ベルト４１に連結されている被係合部材９０に連結する。具体的には、図５に示すように、第１係合部材５１，６１の挿入部５５，６５を第１係合部材５１，６１の開口部９５ａに挿入する。さらに、第２係合部材７１，８１の挿入部７５，８５を被係合部材９０の開口部９６ａに挿入し、連結具５を図２に示す状態にする。これにより、乳幼児を乳母車１に拘束することができる。
【００５３】
乳幼児を乳母車１から降ろしたい場合は、図２の操作部１０１をそれぞれ内方に押圧し、第１係合部材５１，６１と被係合部材９０との係合を解除し、第２係合部材７１，８１と被係合部材９０との係合を解除し、ベルト４１〜４５と乳幼児の拘束を解除する。これにより、乳幼児を乳母車１から降ろすことができる。
【００５４】
（連結具の動作について）
次に、図７〜図１０を参照して、連結具５の係合部材５１，６１，７１，８１と被係合部材９０との動作について説明する。なお、図７は、係合部材５１，６１，７１，８１を被係合部材９０に係合していない状態を示し、図８は、係合部材５１，６１，７１，８１を被係合部材９０に係合している状態を示す。さらに、図７（ａ），図８（ａ）は、操作部１０１を操作していない状態であり、図７（ｂ），図８（ｂ）は、操作部１０１を操作した状態である。
【００５５】
まず、図７（ａ）に示すように、第１係合部材５１，６１の挿入部５５，６５、および、第２係合部材７１，８１の挿入部７５，８５を矢印で示す挿入方向に沿って被係合部材９０の開口部９５ａ，９６ａにそれぞれ挿入する。図９，１０を参照して、第１係合部材５１の挿入部５５と被係合部材９０の動作について説明するが、第１，２係合部材６１，７１，８１の挿入部６５，７５，８５の動作も同様である。
【００５６】
上述のように、第１係合部材５１の挿入部５５を被係合部材９０の開口部９５ａに挿入すると、図９（ａ）に示すように、挿入部５５の先端がガイド部１２０の被係合爪部１２５ａを押し広げ、表側および裏側の帯状部１２５間に差し込まれ、係合爪部５６と被係合爪部１２５ａとが係合する。さらに、第１係合部材５１の第１磁石５９は、被係合部材９０と面する側がＮ極である。ガイド部１２０の第２磁石１３０は、開口部９５ａと面する側がＳ極である。そのため、挿入部５５はガイド部１２０側に吸引されて、係合爪部５６と被係合爪部１２５ａとの係合を補助する役割を果たす。これにより、第１係合部材５１と被係合部材９０とは、構造的な係合と磁石による吸引とにより、係合状態となり、第１係合部材５１と被係合部材９０との係合を確実にすることができる。
【００５７】
係合部材５１，６１，７１，８１と被係合部材９０との係合を解除する場合は、図８（ｂ）に示すように、操作部１０１を矢印で示す押圧方向に押圧して、操作部１０１内方に移動させる。これにより、ガイド部１２０が矢印で示す上方にスライド移動し、図８で示すように、第１係合部材５１，６１の挿入部５５と対面するガイド部１２０が被係合爪部１２５ａ，１２７ａを有する１，３段目の帯状部１２５，１２７から平坦部１２６ａ，１２８ａを有する２，４段目の帯状部１２６，１２８になる。
【００５８】
図１０，図１１に示すように、平坦部１２６ａが挿入部５５に当接するようになるため、ガイド部１２０が挿入部５５の係合爪部５６に係合することを防止することができる。さらに、２段目の帯状部１２６の平坦部１２６ａは、被係合凸部９２ｂ，９４ｂにより形成される凹部を埋めて、被係合凸部９２ｂ，９４ｂの厚み方向の先端とガイド部１２０とが面一になる。すなわち、平坦部１２６ａは、挿入部５５を引き抜く際のガイドの役割を果たす。これにより、挿入部５５の係合爪部５６と被係合爪部１２５ａとの係合が解除される。
【００５９】
第１，２係合部材６１，７１，８１の挿入部６５，７５，８５の動作についても同様である。さらに、第１磁石５９と対面する磁石は第２磁石１３０から第３磁石１３１となる。第３磁石１３１は、第１磁石５９と面する側がＮ極であるため、第１磁石５９に対して反発する。これにより、第１係合部材５１と被係合部材９０とは、構造的な係合と、磁石による吸引とにより、係合状態となり、第１係合部材５１と被係合部材９０とを確実に係合することができる。
【００６０】
このように、連結具５は、被係合爪部１２５ａ，１２７ａと平坦部１２６ａ，１２８ａとを有するガイド部１２０が設けられているため、ガイド部１２０を変位させるだけで、係合部材５１，６１，７１，８１と被係合部材９０との係合および係合の解除を簡単に行うことができる。さらに、磁石の吸引を利用しているため、係合部材５１，６１，７１，８１を被係合部材９０の開口部９５ａ，９６ａに弱い力で差し込んでも、簡単にロックを行うことができ、磁石の反発を利用しているため、係合部材５１，６１，７１，８１を弱い力で引き抜くことができる。これにより、本実施の形態の連結具５は、ロックおよびロック解除を容易に行うことができる。
【００６１】
また、上記実施の形態では、操作部１０１を操作するだけで、すべての係合部材５１，６１，７１，８１と被係合部材９０との連結を解除することができるため、連結具５の解除が容易である。
【００６２】
なお、上記実施の形態では、座席付き育児器具として、乳母車を例に説明したが、これに限定されず、座席が付いている子供用の育児器具であればよく、たとえばベビーラック、育児椅子、チャイルドシートなどであってもよい。
【００６３】
また、上記実施の形態では、連結具５は座席付き育児器具１に設けられるものとして説明したが、その連結具５単体として提供されてもよい。その場合、係合部材５１，６１，７１，８１に連結されるのは肩ベルト４４，４５または腰ベルト４２，４３に限定されず、被係合部材９０に連結されるのは股ベルト４１に限定されない。
【００６４】
さらに、上記実施の形態では、第１係合部材５１，６１および第２係合部材７１，８１の４つが設けられていたが、係合部材は少なくとも１つ設けられていればよい。また、係合部材には、拘束ベルト、すなわち、肩ベルトと腰ベルトのいずれか一方が連結されていればよい。
【００６５】
また、上記実施の形態のガイド部１２０は、複数の帯状部１２５〜１２８が設けられる形状であったが、被係合爪部１２５ａ，１２７ａと平坦部１２６ａ，１２８ａとを有する形状であればよい。また、被係合爪部および平坦部は、少なくとも１つガイド部１２０に設けられていればよい。したがって、上記実施の形態では、ガイド部１２０は１つしか設けられていないが、複数設けられていてもよい。
【００６６】
さらに、上記実施の形態では、係合部材５１，６１，７１，８１のそれぞれに第１磁石５９，６９，７９，８９が設けられ、ガイド部１２０にも磁石１３０，１３１，１３２，１３３が設けられていたが、これらの磁石は設けられていなくてもよい。
【００６７】
また、上記実施の形態では、一対の第１係合部材５１，６１と、一対の第２係合部材７１，８１と、被係合部材との５点ベルトであったが、少なくとも腰ベルト４２，４３または肩ベルト４４，４５に連結された係合部材が１つ設けられる３点ベルトであってもよい。
【００６８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６９】
１  乳母車（座席付き育児器具）、５  連結具、４１  股ベルト、４２，４３  腰ベルト（拘束ベルト）、４４，４５  肩ベルト（拘束ベルト）、５１  第１係合部材、５５  挿入部、５７  係合凸部、５９  第１磁石、６１  第１係合部材、６５  挿入部、６７  係合凸部、６９  第１磁石、７１  第２係合部材、７５  挿入部、７９  第１磁石、８１  第２係合部材、８５  挿入部、８９  第１磁石、９０  被係合部材、９１  固定部、９２ｂ，９４ｂ  被係合凸部、９５ａ，９６ａ  開口部、１３０  第２磁石、１３１  第３磁石、１３２  第２磁石、１３３  第３磁石、１０１  操作部、１２０  ガイド部、１２５ａ  被係合爪部、１２６ａ  平坦部、１２７ａ  被係合爪部、１２８ａ  平坦部。
【図１】
2020175881.tif 000003
【図２】
2020175881.tif 000004
【図３】
2020175881.tif 000005
【図４】
2020175881.tif 000006
【図５】
2020175881.tif 000007
【図６】
2020175881.tif 000008
【図７】
2020175881.tif 000009
【図８】
2020175881.tif 000010
【図９】
2020175881.tif 000011
【図１０】
2020175881.tif 000012
【図１１】
2020175881.tif 000013
【図１２】
2020175881.tif 000014